(57)【要約】【課題】本体に対して変位可能に設けられた変位部と、本体との間で、電流を流す複数の経路が変位部の変位に応じてそれぞれ開閉しても、各経路を開閉する接続部の接続順序によらず突入電流が流れることを抑制する。【解決手段】電子機器本体に対して変位可能に設けられた変位部と、電子機器本体に設けられ、変位部に設けられた負荷に給電する第１電源と、第１電源から負荷へ電流を供給する第１供給経路を変位部の変位に応じて開閉する第１接続部と、第１供給経路上に設けられ、第１の電源と異なる第２の電源から電流が供給されてから所定の時間の間、第１供給経路に流れる電流を制限する制限部と、第２電源から電流制限部へ電流を供給する第２供給経路を変位部の変位に応じて開閉する第２接続部と、を有し、第１接続部は、変位部の変位に応じて第２供給経路も開閉する。【選択図】図５
2014223789.tif 000002
【特許請求の範囲】
【請求項１】
電子機器本体に対して変位可能に設けられた変位部と、
前記電子機器本体に設けられ、前記変位部に設けられた負荷に給電する第１電源と、
前記第１電源から前記負荷へ電流を供給する第１供給経路を前記変位部の変位に応じて開閉する第１接続部と、
前記第１供給経路上に設けられ、前記第１の電源と異なる第２の電源から電流が供給されてから所定の時間の間、前記第１供給経路に流れる電流を制限する制限部と、
前記第２電源から前記電流制限部へ電流を供給する第２供給経路を前記変位部の変位に応じて開閉する第２接続部と、
を有し、
前記第１接続部は、
前記変位部の変位に応じて前記第２供給経路も開閉すること
を特徴とする電子機器。
【請求項２】
前記第１接続部及び前記第２接続部は、
前記第２供給経路において直列に設けられていること
を特徴とする請求項１に記載の電子機器。
【請求項３】
前記第１接続部は、
前記変位部に設けられた前記第２供給経路上の閉ループを用いて、前記第２供給経路を
閉じること
を特徴とする請求項１又は２に記載の電子機器。
【請求項４】
前記変位部は、
前記本体に対して平行移動又は開閉すること
を特徴とする請求項１乃至３の何れか１項に記載の電子機器。
【請求項５】
前記第１経路上に配置され、前記第２電源から電流が供給されると閉状態となる開閉手段を有すること
を特徴とする請求項１乃至４の何れか１項に記載の電子機器。
【請求項６】
前記第１接続部及び前記第２接続部は、
前記変位部が前記本体に収納されると閉状態となること
を特徴とする請求項１乃至５の何れか１項に記載の電子機器。
【請求項７】
画像形成装置本体と、
前記画像形成装置本体に対して変位可能に設けられた変位部と、
前記画像形成装置本体に設けられ、前記変位部に設けられた負荷に給電する第１電源と、
前記第１電源から前記負荷へ電流を供給する第１供給経路を前記変位部の変位に応じて開閉する第１接続部と、
前記第１供給経路上に設けられ、前記第１の電源と異なる第２の電源から電流が供給されてから所定の時間の間、前記第１供給経路に流れる電流を制限する制限部と、
前記第２電源から前記制限部へ電流を供給する第２供給経路を前記変位部の変位に応じて開閉する第２接続部と、
を有し、
前記第１接続部は、
前記変位部の変位に応じて前記第２供給経路も開閉すること
を特徴とする画像形成装置。
【発明の詳細な説明】
【技術分野】
【０００１】
本発明は、電子機器及び画像形成装置に関する。
【背景技術】
【０００２】
基板に配置されたモータなどのデバイスは、起動時に、起動電流などによって電圧変動（電圧降下など）が生じたり、電荷が蓄積された容量性負荷などから電流が一気に流れる現象（以下、突入電流と呼ぶ）が起きることがある。
【０００３】
起動電流などによる電圧降下を防止するために基板にコンデンサを設けたり、コンデンサなどから突入電流が流れることを防止するために突入電流防止回路などを設けることは公知である。
【０００４】
例えば、特許文献１には、電気機器の開閉部等の機械的操作に連動してオン／オフ動作して電源部から負荷への電力の供給停止及び停止の解除を行うスイッチ部に直列に抵抗が接続され、抵抗に並列にスイッチ部が接続されていて、オン検知部が、スイッチ部のオン動作を検出して所定の待ち時間を経過した後にスイッチ部をオンさせるインターロック装置が開示されている。
【発明の概要】
【発明が解決しようとする課題】
【０００５】
しかしながら、本体に対して変位可能に設けられた変位部と、本体との間で、電流を流す複数の経路が変位部の変位に応じてそれぞれ開閉する場合、各経路を開閉する接続部の接続順序によっては突入電流が流れることを抑制できないことがあるという問題があった。
【０００６】
本発明は、上記に鑑みてなされたものであって、本体に対して変位可能に設けられた変位部と、本体との間で、電流を流す複数の経路が変位部の変位に応じてそれぞれ開閉しても、各経路を開閉する接続部の接続順序によらず突入電流が流れることを抑制することを目的とする。
【課題を解決するための手段】
【０００７】
上述した課題を解決し、目的を達成するために、本発明は、電子機器本体に対して変位可能に設けられた変位部と、前記電子機器本体に設けられ、前記変位部に設けられた負荷に給電する第１電源と、前記第１電源から前記負荷へ電流を供給する第１供給経路を前記変位部の変位に応じて開閉する第１接続部と、前記第１供給経路上に設けられ、前記第１の電源と異なる第２の電源から電流が供給されてから所定の時間の間、前記第１供給経路に流れる電流を制限する制限部と、前記第２電源から前記電流制限部へ電流を供給する第２供給経路を前記変位部の変位に応じて開閉する第２接続部と、を有し、前記第１接続部は、前記変位部の変位に応じて前記第２供給経路も開閉する。
【発明の効果】
【０００８】
本発明によれば、本体に対して変位可能に設けられた変位部と、本体との間で、電流を流す複数の経路が変位部の変位に応じてそれぞれ開閉しても、各経路を開閉する接続部の接続順序によらず突入電流が流れることを抑制することができるという効果を奏する。
【図面の簡単な説明】
【０００９】
【図１】図１は、画像形成装置の概略を示す斜視図である。
【図２】図２は、本体に対して引出しユニットを変位させた状態を示す図である。
【図３】図３は、引出しユニットに対して電力を供給する電力供給ユニット及びその周辺の構成を示す図である。
【図４】図４は、図３に示した電力供給ユニット及びその周辺の動作タイミングを示すタイミングチャートである。
【図５】図５は、実施形態にかかる画像形成装置における引出しユニットに対して電力を供給する電力供給ユニット及びその周辺の構成を示す図である。
【図６】図６は、図５に示した電力供給ユニット及びその周辺の動作タイミングを示すタイミングチャートである。
【発明を実施するための形態】
【００１０】
（背景）
まず、本発明がなされるに至った背景について説明する。図１は、画像形成装置１の概略を示す斜視図である。画像形成装置１は、画像形成装置本体（本体）２と、本体２に対して引出し可能（例えば水平方向に変位可能）にされた引出しユニット７６とを有する。なお、図１においては、Ｆと書かれている方向が画像形成装置１の前面であり、Ｒと書かれている方向が画像形成装置１の背面である。
【００１１】
本体２は、画像読取を行うスキャナユニット１０、画像を作像する書込みユニット４、作像された画像を転写する転写ユニット５、印刷する用紙を給紙する給紙ユニット３を有する。
【００１２】
引出しユニット７６は、本体２から引き出されるように設けられたスライドレール７２に沿って前面側に引き出される構成となっている。引出しユニット７６は、用紙のスキューを補正するためのレジスト機構（図示せず）、用紙に転写されたトナーを定着させる定着ユニット５３、引き出すための引出し取っ手部６ａ、図示しない反転搬送路を保持するキャリア７１及び引出し取っ手部カバー６が取り付けられている。
【００１３】
次に、引出しユニット７６を本体２から引き出す操作について説明する。図２は、本体２に対して引出しユニット７６を変位させた状態を示す図である。図２（ａ）は、本体２から引出しユニット７６を引き出した状態を示し、図２（ｂ）は、本体２に引出しユニット７６を収納した状態を示している。
【００１４】
第１接続部１００は、引出しユニット７６に設けられたモータやソレノイドなどのデバイス（図示せず）に対して電流の供給又は遮断を行うために開閉する例えばドロワコネクタである。第１接続部１００は、本体２に設けられたコネクタ１００ａと、引出しユニット７６に設けられたコネクタ１００ｂとを有し、引出しユニット７６の引出し（変位）に応じて開閉する。
【００１５】
第２接続部１０１，１０２は、それぞれインターロック機構を構成する。第２接続部１０１は、本体２に設けられた接点（インターロックスイッチ）１０１ａと、引出しユニット７６に設けられた接点１０１ｂとを有し、引出しユニット７６の引出し（変位）に応じて開閉する。第２接続部１０２は、本体２に設けられた接点１０２ａと、引出しユニット７６に設けられた接点１０２ｂとを有し、引出しユニット７６の引出し（変位）に応じて開閉する。
【００１６】
上述したように、引出しユニット７６は、スライドレール７２に沿って引き出し可能にされている。つまり、引出しユニット７６が本体２に収納されると、第１接続部１００及び第２接続部１０１，１０２は閉じられ（ＯＮとなり）、それぞれ電流が供給される電流の供給経路を形成する。
【００１７】
図３は、引出しユニット７６に対して電力（電流）を供給する電力供給ユニット８，９及びその周辺の構成を示す図である。電力供給ユニット８は、５Ｖ電源生成部８０、２４Ｖ電源生成部（第１電源）８１、突入電流防止回路８２、リレー８３，８４、及びコンデンサ８５を有する。２４Ｖ電源生成部８１は、引出しユニット７６に設けられた基板１０３、基板１０４、及び基板１０５に対し、第１供給経路８６を介して電力（電流）を供給する。突入電流防止回路８２及びリレー８３，８４は、動作開始時から予め定められた期間に第１供給経路８６に流れる電流を制限する制限部を構成する。
【００１８】
電力供給ユニット９は、５Ｖ電源生成部（第２電源）９０及び２４Ｖ電源生成部９１を有する。５Ｖ電源生成部９０は、給電することによって上述した制限部の動作を開始させる。つまり、突入電流防止回路８２及びリレー８３，８４の上述した動作開始時とは、５Ｖ電源生成部９０から突入電流防止回路８２及びリレー８３，８４への給電が開始された時となる。また、第２接続部１０１，１０２は、５Ｖ電源生成部９０から制限部へ電流を供給する第２供給経路８７を引出しユニット７６の変位に応じて開閉する。
【００１９】
例えば、電力供給ユニット９は、常に基板１０３，１０４，１０５に対して電力を供給する。また、電力供給ユニット８の２４Ｖ電源生成部８１は、第２接続部１０１，１０２の動作によるインターロック機能により、基板１０３，１０４，１０５に対して電力の供給又は供給の停止を行う。
【００２０】
基板１０３，１０４，１０５は、例えば図示しないステッピングモータやＤＣブラシレスモータなどを駆動させる基板である。従って、基板１０３，１０４，１０５は、モータの大きさや制御方法に応じて、モータ駆動の開始時に通常の回転動作よりも大きな起動電流を必要とする。このような場合に、瞬間的に大きな電流が流れ、電圧は電流と逆の挙動をし、電圧変動（電圧降下）が生じる。このように、モータを制御する基板では、瞬間的な電圧降下が起こらないようにするため、安定的な電圧を維持させる目的で、基板ごとに一定以上の容量のコンデンサを搭載し電圧降下を防止する構成とされている。基板１０３，１０４，１０５は、それぞれにコンデンサ１０６，１０８，１０９が搭載されている。
【００２１】
電力供給ユニット８は、具体的には、引出しユニット７６が引き出された場合に、第２接続部１０１，１０２がオープンとなり、リレー８３，８４への信号（電流供給）がＯＦＦとなり、リレー８３以降の基板への電力供給が停止される。また、電力供給ユニット８は、画像形成装置１の前ドアなどが開かれた場合にも、第２接続部１０１と同様の図示しないインターロックスイッチがオープンとなるように構成されてもよい。
【００２２】
また、電力供給ユニット８は、突入電流防止回路８２によって基板１０３，１０４，１０５に対する突入電流を抑制している。突入電流防止回路８２は、ＦＥＴ部品、突入電流抑制用の抵抗及びディレイ回路を備え、インターロック機構がＯＮすることによって発生する突入電流を抑制する。
【００２３】
突入電流は、リレー８３，８４がクローズして基板１０３，１０４，１０５に電流を供給可能になった場合に、電力供給ユニット８に搭載されているコンデンサ８５に溜まっていた電荷が一気に基板１０３，１０４，１０５のコンデンサ１０６，１０８，１０９に流れるものである。この突入電流は、リレー８３，８４の接点が接触するタイミングで発生する。突入電流がリレー８３，８４に流れると、リレー８３，８４の接点が溶けて溶着してしまうという現象が発生する。ここでは、短時間で単発的に電流が流れるため、電源の電圧降下が発生してしまい、例えば電圧監視ＩＣ（図示せず）が監視する電圧の下限よりも電圧が下がるとシステムをリセットさせることがある。突入電流防止回路８２は、短時間的に発生する突入電流に対し、突入のピーク電圧を抑制させることにより、結果としてリレー８３，８４の接点に流れる電流を抑制する。
【００２４】
突入電流防止回路８２の動作は、次のようになる。まず、インターロック機構内の第２接続部１０１，１０２がクローズすると、インターロックが有効となる。これにより、リレー８３，８４は開通する。ここで、突入電流防止回路８２には、ＦＥＴをＯＮにするための信号も第２接続部１０１，１０２がクローズされたタイミングで伝達される。ただし、突入電流防止回路８２のＦＥＴは、前段にＤｅｌａｙ回路が配置されているため、ＯＮにするための信号が所定時間（例えば５０ｍｓ程度）遅れて入力される。
【００２５】
つまり、リレー８３，８４が開通しても、突入電流防止回路８２は、ＦＥＴがＯＮしていないため、突入電流が突入電流抑制用の抵抗に流れる。突入電流防止回路８２の抵抗は、例えば０．２Ω程度の抵抗である。このように、突入電流防止回路８２は、突入電流を抵抗に流すことにより、ピーク電圧を抑制することができ、例えば１２０Ａ程度の突入電流を３２．８Ａ程度の突入電流まで抑えることができる。よって、リレー８３，８４の接点の電流が定格範囲内におさまり、接点溶着を防ぐことができる。
【００２６】
その後、突入電流防止回路８２のＦＥＴは、Ｄｅｌａｙ回路によって遅れさせられた信号によってＯＮになる。即ち、突入電流防止回路８２は、Ｄｅｌａｙ回路による遅延時間に突入電流を突入電流抑制用の抵抗に流し、突入電流が流れた後にＦＥＴをＯＮにして電流をＦＥＴ側に流す。
【００２７】
引出しユニット７６は、第１接続部１００（コネクタ１００ａ，１００ｂ）を介して本体２から電力及び制御信号を受け取る。上述したように、引出しユニット７６が本体２から引き出されることによって、第１接続部１００は、コネクタ１００ａとコネクタ１００ｂとが分離される。引出しユニット７６が本体２から引き出される場合、第１供給経路８６による電力供給中に活電挿抜が行われないようにするため、第２接続部１０１，１０２はＯＦＦ（開放状態）となる。また、引出しユニット７６が本体２へ収納される場合には、第１接続部１００及び第２接続部１０１，１０２がそれぞれ接続されて開通状態となる。
【００２８】
しかし、第２接続部１０１，１０２の開通（インターロックの有効判定）と、第１接続部１００の開通とは必ずしも同時ではない。例えば、第１接続部１００のコネクタ１００ａ，１００ｂの勘合は、機械的な公差などにより、第２接続部１０１，１０２の開通の後に行われることがある。
【００２９】
この場合、引出しユニット７６が引き出されている状態で第１供給経路８６に電圧が印加される。その後、引出しユニット７６が勢いよく収納される場合には、突入電流の問題は生じない。
【００３０】
一方、引出しユニット７６がゆっくり収納される場合には、第２接続部１０１，１０２が開通状態ではあるが、第１接続部１００がまだ接続されていない状態である期間が生じる。この場合、基板１０４，１０５のコンデンサ１０８，１０９に電荷がチャージされるため、突入電流が発生する。ここでは、通常の電源投入時と同様に突入電流防止回路８２が機能するため、突入電流はピーク電圧が抑制されて基板１０４，１０５へ流れる。
【００３１】
ただし、この時点では引出しユニット７６の第１接続部１００が接続されていないため、基板１０３への電力供給がなされず、コンデンサ１０６には電荷が溜まっていない状態である。その後、第１接続部１００が接続されると、基板１０３と第１供給経路８６とが接続されるため、電荷が溜まっていないコンデンサ１０６に対し、基板１０４，１０５のコンデンサ１０８，１０９や電力供給ユニット８のコンデンサ８５から一気に電流が流れ込むこととなる。電力供給ユニット８において、リレー８３，８４及び突入電流防止回路８２はすでにＯＮとなっているため、突入電流を抑制する動作は起きない。つまり、基板１０３に対して突入電流が流れる。なお、基板１０３に流れる電流は、ノード１０７における電流（又は電圧）として示すこととする（図４，６参照）。また、２４Ｖ電源生成部８１の出力端子の電圧は、ノード８８の電圧として示すこととする。また、２４Ｖ電源生成部８１は、制御信号となるトリガ８９によって動作がオフ（又はオン）にされる。
【００３２】
図４は、図３に示した電力供給ユニット８，９及びその周辺の動作タイミングを示すタイミングチャートである。図４においては、他のカバーがクローズされた状態で、引出しユニット７６は、クローズの状態からオープン（タイミングＴ１）にされ、その後再びクローズ（タイミングＴ２）にされている。まず、制御信号となるトリガ８９は、引出しユニット７６が引き出されたことが検知されたとき、又は他のカバーがオープンにされたときのタイミングＴ３において、オフ（０）となる。２４Ｖ電源生成部（第１電源）８１は、引出しユニット７６が引き出されたことが検知されてオフにされると、出力が０Ｖになっていく（Ｔ５）。タイミングＴ２において引出しユニット７６が収納されると、第２接続部１０１，１０２がＯＮとなるタイミングＡでは、第２供給経路８７が５Ｖになる。そして、所定時間後（接点動作時間：Ｔ６、例えば１０ｍｓ後）に、突入電流防止回路８２は、２４Ｖの電圧を出力する。このタイミングＴ７において、基板１０４，１０５のコンデンサ１０８，１０９には電荷が溜まり、突入電流が発生する。つまり、リレー８３，８４のオンとなるタイミングＴ７において、電力供給ユニット８に残留している残留電荷分（コンデンサ８５に溜まっている電荷分）の突入電流が流れる。この突入電流の電流値は、突入電流防止回路８２によって３２Ａ程度に抑えられている。
【００３３】
その後、第１接続部１００がタイミングＢにおいて接続されても、突入電流防止回路８２は、すでに機能した後であるために動作しない。よって、突入電流防止回路８２が機能しない状態で、基板１０３のコンデンサ１０６への電荷チャージが行われる突入電流が流れる（タイミングＴ９）。この突入電流は、電力供給ユニット８に残留している残留電荷分（コンデンサ８５に溜まっている電荷分）、及び電力供給ユニット８以外の負荷（コンデンサ１０８及びコンデンサ１０９）の残留電荷分による突入電流である。この突入電流の電流値は、１２０Ａ程度と高い値となってしまう。なお、トリガ８９は、引出しユニット７６収納後（タイミングＴ４）にオンとなり、突入電流防止回路８２が出力する電圧は、ＦＥＴがオンの状態でトリガ８９がオンとなると２４Ｖに近付き始める（Ｔ８）。
【００３４】
（実施形態）
次に、画像形成装置の実施形態について説明する。実施形態にかかる画像形成装置は、例えば図１に示した画像形成装置１と同様の構成を有する。また、実施形態にかかる画像形成装置を構成する部分において、上述した構成部分と実質的に同一のものには同一の符号が付してある（ただし書き部分を除く）。
【００３５】
図５は、実施形態にかかる画像形成装置における引出しユニット７６に対して電力（電流）を供給する電力供給ユニット８，９及びその周辺の構成を示す図である。上述したように、突入電流防止回路８２及びリレー８３，８４は、動作開始時から予め定められた期間に第１供給経路８６に流れる電流を制限する制限部を構成する。５Ｖ電源生成部（第２電源）９０は、給電することによって上述した制限部の動作を開始させる。
【００３６】
ただし、実施形態にかかる画像形成装置において、第１接続部１００（コネクタ１００ａ，１００ｂ）は、引出しユニット７６の変位に応じて、第１供給経路８６を開閉することに加えて、第２供給経路８７も開閉する。また、第１接続部１００及び第２接続部１０１，１０２は、第２供給経路８７において直列に設けられている。また、第１接続部１００は、コネクタ１００ｂ側に形成された第２供給経路８７上の閉ループ１１０を用いて、第２供給経路８７を閉じるように動作する。
【００３７】
つまり、突入電流防止回路８２及びリレー８３，８４は、第１接続部１００及び第２接続部１０１，１０２の両方が接続されなければ、第１供給経路８６を開いた状態としている（遮断した状態としている）。
【００３８】
図６は、図５に示した電力供給ユニット８，９及びその周辺の動作タイミングを示すタイミングチャートである。図６においては、他のカバーがクローズされた状態で、引出しユニット７６は、クローズの状態からオープン（タイミングＴ１１）にされ、その後再びクローズ（タイミングＴ１２）にされている。制御信号となるトリガ８９は、引出しユニット７６が引き出されたことが検知されたとき、又は他のカバーがオープンにされたときのタイミングＴ１３において、オフ（０）となる。２４Ｖ電源生成部（第１電源）８１は、引出しユニット７６が引き出されたことが検知されてオフにされると、出力が０Ｖになっていく（Ｔ１５）。図５の構成では第２接続部１０１，１０２及び第１接続部１００が直列に配置されている。このため、タイミングＴ１２において引出しユニット７６が収納され、タイミングＣにおいて第２接続部１０１，１０２がＯＮとなっても、第２供給経路８７は５Ｖにならない。第１接続部１００がＯＮ（接続）となるタイミングＤにおいて、第２供給経路８７は５Ｖとなる。第１接続部１００が接続するタイミングＴ１９は、第２接続部１０１、１０２のＯＮ前であるため、接続時の基板１０３に流れる突入電流は、基板１０４のコンデンサ１０８に溜まっていた電荷だけになり、最大でも１０Ａ以下であり問題は起きない（Ｔ１９）。そして、第２供給経路８７が５Ｖとなった所定時間後（接点動作時間：Ｔ１６、例えば１０ｍｓ後）に、突入電流防止回路８２は、２４Ｖの電圧を出力する。
【００３９】
タイミングＴ１７において、基板１０３，１０４，１０５へは、第１供給経路８６を介して電流が供給されるため、コンデンサ１０６，１０８，１０９には電力供給ユニット８に残留している残留電荷分（コンデンサ８５に溜まっている電荷分）の電荷が溜められて突入電流が発生する。つまり、リレー８３，８４のオンとなるタイミングＴ１７において、電力供給ユニット８に残留している残留電荷分（コンデンサ８５に溜まっている電荷分）の突入電流が流れる。ただし、Ｔ１６からＴ１７までの間で突入電流防止回路８２が機能して抵抗を介して電流が流れるために、Ｔ１７での突入電流は３２Ａ程度にまで低減されている。なお、トリガ８９は、引出しユニット７６収納後（タイミングＴ１４）にオンとなり、突入電流防止回路８２が出力する電圧は、ＦＥＴがオンの状態でトリガ８９がオンとなると２４Ｖに近付き始める（Ｔ１８）。
【００４０】
また、第１接続部１００が先に接続され、その後に第２接続部１０１，１０２が接続されても同様に、突入電流防止回路８２が動作する。また、第１接続部１００及び第２接続部１０１，１０２のいずれもが接続されなければ、２４Ｖ電源生成部８１から基板１０３への電力供給が開始されず、突入電流防止回路８２も動作を開始しない。このため、基板１０３への突入電流が抑制できる。
【００４１】
このように、実施形態にかかる画像形成装置は、本体２に対して変位可能に設けられた引出しユニット７６と、本体２との間で、電流を流す第１供給経路８６及び第２供給経路８７が引出しユニット７６の変位に応じてそれぞれ開閉しても、第１供給経路８６及び第２供給経路８７を開閉する第１接続部１００及び第２接続部１０１，１０２の接続順序によらず突入電流が流れることを抑制することができる。
【００４２】
なお、上記の実施形態では、画像形成装置１に対して変位可能に設けられた引出しユニット７６を変位部とする場合を中心に具体例を説明したが、これに限定されない。例えば、本体に対して変位可能に設けられた変位部に電流を供給する他の電子機器においても本発明を適用することができる。また、変位部は、本体に対して平行に移動する変位に限定されることなく、例えば開閉等する変位を行うものであってもよい。
【符号の説明】
【００４３】
１  画像形成装置
２  本体
３  給紙ユニット
４  書込みユニット
５  転写ユニット
６  引出し取っ手部カバー
６ａ  引出し取っ手部
８  電力供給ユニット
９  電力供給ユニット
７２  スライドレール
７６  引出しユニット
８０  ５Ｖ電源生成部
８１  ２４Ｖ電源生成部（第１電源）
８２  突入電流防止回路
８３，８４  リレー
８５  コンデンサ
８６  第１供給経路
８７  第２供給経路
９０  ５Ｖ電源生成部（第２電源）
９１  ２４Ｖ電源生成部
１００  第１接続部
１００ａ，１００ｂ  コネクタ
１０１，１０２  第２接続部
１０１ａ，１０１ｂ，１０２ａ，１０２ｂ  接点
１０３，１０４，１０５  基板
１０６，１０８，１０９  コンデンサ
１１０  閉ループ
【先行技術文献】
【特許文献】
【００４４】
【特許文献１】特開２００８−０６６１１９号公報
【図１】
2014223789.tif 000003
【図２】
2014223789.tif 000004
【図３】
2014223789.tif 000005
【図４】
2014223789.tif 000006
【図５】
2014223789.tif 000007
【図６】
2014223789.tif 000008